(57)【要約】【課題】  本発明は、別途格別な装置を設置する必要が無く、複数のユーザ端末装置の間でサーバ装置を介して各種の報知情報を通信可能とする報知システム及びこれに用いられるプログラムを提供する。【解決手段】  ユーザ端末装置２に設けられた緊急ボタン11と、緊急ボタン11を押す回数を計数するカウンタモジュール12と、カウンタモジュール12により計数された回数に応じて緊急ボタン11を押した回数を認知させる認知手段（ブラウザ15）と、カウンタモジュール12により計数された回数に応じて報知情報４を変更する変更手段（ブラウザ15）と、を有し、サーバ装置３は、変更手段（ブラウザ15）により変更された報知情報４を目的のユーザ端末装置２に送信することを特徴とする。【選択図】      図２
2015053545.tif 000002
【特許請求の範囲】
【請求項１】
複数のユーザ端末装置の間でサーバ装置を介して報知情報を通信可能に設けられた報知システムであって、
前記ユーザ端末装置に設けられた報知ボタンと、
前記報知ボタンを押す回数を計数する計数手段と、
前記計数手段により計数された回数に応じて前記報知ボタンを押した回数を認知させる認知手段と、
前記計数手段により計数された回数に応じて前記報知情報を変更する変更手段と、
を有し、
前記サーバ装置は、前記変更手段により変更された報知情報を目的のユーザ端末装置に送信することを特徴とする報知システム。
【請求項２】
前記ユーザ端末装置は、前記報知ボタンを画面表示する表示手段を有し、
前記認知手段は、前記計数手段により計数された回数に応じて前記表示手段の画面上に表示する前記報知ボタンの色を変更する色変更手段を有することを特徴とする請求項１に記載の報知システム。
【請求項３】
前記認知手段は、前記計数手段により計数された回数に応じて音を発生する音発生手段を有することを特徴とする請求項１または請求項２に記載の報知システム。
【請求項４】
前記ユーザ端末装置は、前記報知ボタンを画面表示する表示手段を有し、
前記認知手段は、前記計数手段により計数された回数に応じて前記表示手段の画面上に表示する前記報知ボタンの面積比率を変更する面積変更手段を有することを特徴とする請求項１〜３のいずれか１項に記載の報知システム。
【請求項５】
前記ユーザ端末装置は、前記報知ボタンを画面表示する表示手段を有し、
前記認知手段は、前記計数手段により計数された回数に応じて前記表示手段の画面上に表示する前記報知ボタンの表示位置を振動させる振動表示手段を有することを特徴とする請求項１〜４のいずれか１項に記載の報知システム。
【請求項６】
前記変更手段は、前記計数手段により計数された回数に応じて複数の報知情報から所定の報知情報を選択することを特徴とする請求項１〜５のいずれか１項に記載の報知システム。
【請求項７】
前記ユーザ端末装置は、前記報知情報を画面表示する表示手段を有し、
前記変更手段は、前記計数手段により計数された回数に応じて前記表示手段の画面上に表示する前記報知情報の面積比率を変更することを特徴とする請求項１〜６のいずれか１項に記載の報知システム。
【請求項８】
複数のユーザ端末装置の間でサーバ装置を介して報知情報を通信可能に設けられた報知システムをコンピュータを利用して実行するプログラムであって、
前記ユーザ端末装置に設けられた報知ボタンを押す回数を計数手段により計数する計数ステップと、
前記計数ステップにおいて計数した回数に応じて認知手段により前記報知ボタンを押した回数を認知させる認知ステップと、
前記計数ステップにおいて計数した回数に応じて変更手段により前記報知情報を変更する報知情報変更ステップと、
前記報知情報変更ステップにおいて変更された報知情報を前記サーバ装置により目的のユーザ端末装置に送信する送信ステップと、
を実行することを特徴とするプログラム。
【請求項９】
前記認知ステップは、前記計数ステップにおいて、前記計数手段により計数された回数に応じて色変更手段により表示手段の画面上に表示する前記報知ボタンの色を変更する色変更ステップを有することを特徴とする請求項８に記載のプログラム。
【請求項１０】
前記認知ステップは、前記計数手段により計数された回数に応じて音発生手段により音を発生する音発生ステップを有することを特徴とする請求項８または請求項９に記載のプログラム。
【請求項１１】
前記認知ステップは、前記計数手段により計数された回数に応じて面積変更手段により表示手段の画面上に表示する前記報知ボタンの面積比率を変更する報知ボタン面積変更ステップを有することを特徴とする請求項８〜１０のいずれか１項に記載のプログラム。
【請求項１２】
前記認知ステップは、前記計数手段により計数された回数に応じて振動表示手段により表示手段の画面上に表示する前記報知ボタンの表示位置を振動させる振動ステップを有することを特徴とする請求項８〜１１のいずれか１項に記載のプログラム。
【請求項１３】
前記報知情報変更ステップにおいて、前記計数手段により計数された回数に応じて前記変更手段により複数の報知情報から所定の報知情報を選択する報知情報選択ステップを有することを特徴とする請求項８〜１２のいずれか１項に記載のプログラム。
【請求項１４】
前記報知情報変更ステップにおいて、前記変更手段により前記ユーザ端末装置に設けられる表示手段の画面上に表示する前記報知情報の面積比率を変更する報知情報面積変更ステップを有することを特徴とする請求項８〜１３のいずれか１項に記載のプログラム。
【発明の詳細な説明】
【技術分野】
【０００１】
本発明は、テレビ、インターフォン、パーソナルコンピュータ、携帯電話機、スマートフォン、ＰＤＡ（Personal Digital Assistants）等の据置型或いは携帯型の複数のユーザ端末装置の間でサーバ装置を介して各種の報知情報を通信可能に設けられた報知システム及びこれに用いられるプログラムに関するものである。
【背景技術】
【０００２】
特許文献１では、携帯電話機に設置されたＲＦＩＤ（Radio frequency Identification）のクリック回数を認識して、そのクリック回数による予め設定されたシナリオに従って、他の使用者に位置情報とメッセージを伝達することが記載されている。これにより、例えば、５回以上押したり、４秒以上長押しした場合には、危険／危急状況であることを、予め設定された使用者や警察署、社会福祉士、医師、セキュリティー会社等の社会的セーフティネットに連絡して危急状況が発生したことを知らせることができるものである。
【０００３】
また、特許文献２では、携帯電話機の複数個の異なる機能について呼出し順番を設定し、ユーザが画面切替キーを操作する毎に設定呼出し順番に従って各機能の画面を順次、呼出して表示することが記載されている。
【０００４】
また、特許文献３では、携帯電話機の不受話回数に応じて、着信報知手段によって出力される通知信号の出力状態を変化させることが記載されている。これにより特定の人物からの着信回数に関する情報をユーザに通知し、着信の緊急度をユーザに通知するものである。
【先行技術文献】
【特許文献】
【０００５】
【特許文献１】特表２０１２−５１１７１９号公報
【特許文献２】特開２００１−００５５９７号公報
【特許文献３】特開２００８−２４４５９７号公報
【発明の概要】
【発明が解決しようとする課題】
【０００６】
しかしながら、特許文献１では、ＲＦＩＤを携帯電話機に設置しなけらばならず、コストがかかる。また、心理的に不安定な危急状況でユーザがＲＦＩＤをクリックする回数を覚えておくことが困難であり、クリック回数による予め設定されたシナリオに従って、他の使用者に位置情報とメッセージを正確に伝達することが困難であるという問題がある。
【０００７】
また、特許文献２、３にはクリック回数による予め設定されたシナリオに従って、他の使用者にメッセージを伝達することの記載はない。
【０００８】
本発明は前記課題を解決するものであり、その目的とするところは、別途格別な装置を設置する必要が無く、複数のユーザ端末装置の間でサーバ装置を介して各種の報知情報を通信可能とする報知システム及びこれに用いられるプログラムを提供するものである。
【課題を解決するための手段】
【０００９】
前記目的を達成するための本発明に係る報知システムの代表的な構成は、複数のユーザ端末装置の間でサーバ装置を介して報知情報を通信可能に設けられた報知システムであって、前記ユーザ端末装置に設けられた報知ボタンと、前記報知ボタンを押す回数を計数する計数手段と、前記計数手段により計数された回数に応じて前記報知ボタンを押した回数を認知させる認知手段と、前記計数手段により計数された回数に応じて前記報知情報を変更する変更手段と、を有し、前記サーバ装置は、前記変更手段により変更された報知情報を目的のユーザ端末装置に送信することを特徴とする。
【００１０】
前記目的を達成するための本発明に係るプログラムの代表的な構成は、複数のユーザ端末装置の間でサーバ装置を介して報知情報を通信可能に設けられた報知システムをコンピュータを利用して実行するプログラムであって、前記ユーザ端末装置に設けられた報知ボタンを押す回数を計数手段により計数する計数ステップと、前記計数ステップにおいて計数した回数に応じて認知手段により前記報知ボタンを押した回数を認知させる認知ステップと、前記計数ステップにおいて計数した回数に応じて変更手段により前記報知情報を変更する報知情報変更ステップと、前記報知情報変更ステップにおいて変更された報知情報を前記サーバ装置により目的のユーザ端末装置に送信する送信ステップと、を実行することを特徴とする。
【発明の効果】
【００１１】
本発明に係る報知システム及びこれを実行するプログラムによれば、所定のユーザ端末装置の報知ボタンを押す回数を計数する計数手段により計数された回数に応じて、認知手段によりユーザに報知ボタンを押した回数を認知させることが出来、ユーザは報知ボタンを押した回数を誤認知することがない。サーバ装置は変更手段により変更された報知情報を目的のユーザ端末装置に送信することが出来る。これにより、ユーザ端末装置に別途格別な装置を設置する必要が無く、複数のユーザ端末装置の間でサーバ装置を介して報知ボタンを押した回数に対応した各種の報知情報を正確に通信することが出来る。
【図面の簡単な説明】
【００１２】
【図１】本発明に係る報知システムの複数のユーザ端末装置とサーバ装置との構成を示すブロック図である。
【図２】本発明に係る報知システムのユーザ端末装置の制御系の構成を示すブロック図である。
【図３】本発明に係る報知システムのユーザ端末装置に設けられるウェブブラウザとジャバスクリプトと、サーバ装置との構成を示すブロック図である。
【図４】本発明に係る報知システムを実行するプログラムによる処理を説明するフローチャートである。
【図５】本発明に係る報知システムを実行するプログラムの一部を抜粋した図である。
【図６】本発明に係る報知システムを実行するプログラムの一部を抜粋した図である。
【図７】図４のステップＳ４ａにおける鳴動を実行するプログラムによる処理を説明するフローチャートである。
【図８】図７に示す鳴動を実行するプログラムの一部を抜粋した図である。
【図９】図４のステップＳ４ｂにおける報知ボタンの面積比率の変更を実行するプログラムによる処理を説明するフローチャートである。
【図１０】図９に示す報知ボタンの面積比率の変更を実行するプログラムの一部を抜粋した図である。
【図１１】図４のステップＳ４ｃにおける報知ボタンの表示位置の振動を実行するプログラムによる処理を説明するフローチャートである。
【図１２】図11に示す報知ボタンの表示位置の振動を実行するプログラムの一部を抜粋した図である。
【図１３】図４のステップＳ４ｄにおける報知ボタンの色の変更を実行するプログラムによる処理を説明するフローチャートである。
【図１４】図13に示す報知ボタンの色の変更を実行するプログラムの一部を抜粋した図である。
【図１５】図４のステップＳ４ｅにおける複数の報知情報から所定の報知情報選択を実行するプログラムによる処理を説明するフローチャートである。
【図１６】図15に示す複数の報知情報から所定の報知情報選択を実行するプログラムの一部を抜粋した図である。
【図１７】図15に示す複数の報知情報から所定の報知情報選択を実行するプログラムの一部を抜粋した図である。
【図１８】図15に示す複数の報知情報から所定の報知情報選択を実行するプログラムの一部を抜粋した図である。
【図１９】（ａ）はユーザ端末装置の表示手段に画面表示される報知ボタンを示す図、（ｂ）は報知ボタンが押されると、計数手段により計数された回数に応じてユーザ端末装置の音発生手段から音が発生する様子を示す図、（ｃ）は報知ボタンが押されると、計数手段により計数された回数に応じて面積変更手段によりユーザ端末装置の表示手段の画面上に表示される報知ボタンの面積比率が変更される様子を示す図、（ｄ）は報知ボタンが押されると、計数手段により計数された回数に応じて振動表示手段によりユーザ端末装置の表示手段の画面上に表示される報知ボタンの表示位置が振動する様子を示す図である。
【図２０】（ａ）はユーザ端末装置の表示手段に画面表示される報知ボタンを示す図、（ｂ）〜（ｄ）は報知ボタンが押される毎に色変更手段により表示手段に画面表示される報知ボタンの色が変化する様子を示す図である。
【図２１】（ａ）はユーザ端末装置の表示手段に画面表示される報知ボタンを示す図、（ｂ）〜（ｄ）は報知ボタンが押される毎に変更手段により表示手段に画面表示される複数の報知情報から所定の報知情報を選択する様子を示す図である。
【図２２】図４のステップＳ12における報知ボタンが押される回数に応じて変更手段により報知情報の面積比率の変更を実行するプログラムによる処理を説明するフローチャートである。
【図２３】図22に示す報知ボタンが押される回数に応じて変更手段により報知情報の面積比率の変更を実行するプログラムの一部を抜粋した図である。
【図２４】図22に示す報知ボタンが押される回数に応じて変更手段により報知情報の面積比率の変更を実行するプログラムの一部を抜粋した図である。
【図２５】図22に示す報知ボタンが押される回数に応じて変更手段により報知情報の面積比率の変更を実行するプログラムの一部を抜粋した図である。
【図２６】（ａ）〜（ｃ）は報知ボタンが押される回数に応じて変更手段により送信者側のユーザ端末装置の表示手段の画面上に表示される報知情報の面積比率を変更した様子を示す図、（ｄ）〜（ｆ）は報知ボタンが押される回数に応じて変更手段により受信者側のユーザ端末装置の表示手段の画面上に表示される報知情報の面積比率を変更した様子を示す図である。
【発明を実施するための形態】
【００１３】
図により本発明に係る報知システム及びこれに用いられるプログラムの一実施形態を具体的に説明する。
【００１４】
図１〜図３において、５は、予め登録された複数のユーザ１ａ，１ｂが所有するテレビ、インターフォン、パーソナルコンピュータ、携帯電話機、スマートフォン、ＰＤＡ（Personal Digital Assistants）等の据置型或いは携帯型の複数のユーザ端末装置２ａ，２ｂの間でサーバ装置３を介して、例えば、図26に示す報知情報４ａ〜４ｃを通信可能に設けられた報知システムであって、コンピュータシステムを利用して構築されている。
【００１５】
図１に示すように、複数のユーザ端末装置２ａ，２ｂと、サーバ装置３との間はインターネットやインターネットをベースとしたコンピュータ資源の利用形態であるクラウドコンピューティング（cloud computing）等のネットワーク６を介して通信可能とされる。
【００１６】
図２に示すように、ユーザ端末装置２の内部には、制御手段となるＣＰＵ（Central Processing Unit；中央演算装置）等を有する制御部７が設けられている。制御部７には、記憶手段としてＣＰＵが実行する各種制御コードを格納する不揮発性記憶部からなるＲＯＭ（Read Only Memory ；リードオンリメモリ）が設けられている。更に、記憶手段としてＣＰＵの主メモリ、ワークエリア等として機能する一時記憶用のＲＡＭ（Randam Access Memory ；ランダムアクセスメモリ）等が設けられている。
【００１７】
制御部７には、時間計測手段となる時間計測モジュール８が設けられている。ユーザ端末装置２に設けられた入力部９には、図19〜図21及び図26に示すように、表示手段となる表示画面10に画面表示される報知ボタンとなるタッチパネルからなる緊急ボタン11、或いは、カテゴリ選択ボタン19が設けられている。表示手段となる表示画面10は、報知ボタンとなる緊急ボタン11、或いは、カテゴリ選択ボタン19を画面表示する。尚、タッチパネルからなる緊急ボタン11、或いは、カテゴリ選択ボタン19の代わりに表示画面10に表示された緊急ボタン11、或いは、カテゴリ選択ボタン19をマウスによりクリックしたり、ユーザ端末装置２本体に設けられた機械式のキー等により構成される緊急ボタン11、或いは、カテゴリ選択ボタン19を押すことでも良い。
【００１８】
制御部７には、緊急ボタン11、或いは、カテゴリ選択ボタン19を押す回数を計数する計数手段となるカウンタモジュール12が設けられている。制御部７には、緊急ボタン11が押されると、計数手段となるカウンタモジュール12により計数された緊急ボタン11が押される回数に応じて該緊急ボタン11を押した回数を認知させる認知手段として音を発生する音発生手段となる音発生モジュール13が設けられている。
【００１９】
尚、例えば、緊急ボタン11を押す回数で、１回目は「コン」、２回目は「コン、コン」、３回目は「コン、コン、コン」等のノック音の数が異なるように設定することも出来る。或いは、緊急ボタン11を押す回数によって異なる動物の鳴き声を発するように設定することも出来る。或いは、緊急ボタン11を押す回数によって「ドレミファソ」等の音階が変化する音を発するように設定することも出来る。或いは、緊急ボタン11を押す回数によって異なる楽器の音色を発するように設定することも出来る。これにより、認知手段として緊急ボタン11を押した回数を認知させることが出来る。
【００２０】
制御部７には、カウンタモジュール12により計数された緊急ボタン11が押される回数に応じて例えば、図26に示す報知情報４を変更する変更手段となる画面変更モジュール14が設けられている。
【００２１】
サーバ装置３は、ユーザ端末装置２にインストールされたブラウザ15を介して制御部７や入力部９、表示画面10、音発生手段となるスピーカ16との間で情報処理が行われる。サーバ装置３は、ユーザ端末装置２の画面変更モジュール14により変更された報知情報４を目的のユーザ端末装置２に送信する。
【００２２】
図３に示すように、ユーザ端末装置２のブラウザ15にはジャバスクリプト（JavaScript；登録商標）17によって記述されたファイルが実装されている。ジャバスクリプト17上のプログラムを読み込んでブラウザ15で表示するウェブページの表示を適宜変更することが出来る。
【００２３】
ユーザ端末装置２とサーバ装置３との間ではＨＴＴＰ（Hyper Text Transfer Protocol）の通信プロトコルを用いて通信され、ｈｔｍｌ（HyperText Markup Language）、ｃｓｓ（Cascading Style Sheets）、ジャバスクリプト（JavaScript；登録商標）17、ｊＱｕｅｒｙ（ジェイ・クエーリ）、ｊＲｕｍｂｌｅ（ジェイ・ランブル）等を用いて表示画面10に画面情報として報知情報４や緊急ボタン11、或いは、カテゴリ選択ボタン19を表示することが出来る。
【００２４】
ｊＱｕｅｒｙはから取得出来、ｊＲｕｍｂｌｅはからそれぞれオープンソースのプログラムソフトとして容易に取得出来る。
【００２５】
図２に示すブラウザ15は、制御部７に設けられた計数手段となるカウンタモジュール12により計数された緊急ボタン11を押す回数に応じて、該緊急ボタン11を押した回数を認知させる認知手段として図20に示すように、緊急ボタン11の色を変更する色変更手段を有する。この色変更手段は、具体的にはブラウザ15に実装されたジャバスクリプト（JavaScript；登録商標）17のプログラム中に図14に示すプログラムが書き込まれており、表示画面10に表示される緊急ボタン11を押す回数に応じて、図20に示すように、緊急ボタン11の色を変更する。
【００２６】
本実施形態では、図14に示すプログラムに記載されたように、緊急ボタン11の色の初期値を赤色（プログラム上では図示しない「♯FF0000」）に設定されている。緊急ボタン11を１回押すと、緊急ボタン11の色を黄色（図14に示すプログラム上では「♯FFFF00」）に変更するように設定されている。緊急ボタン11を２回押すと、緊急ボタン11の色を緑色（図14に示すプログラム上では「♯00FF00」）に変更するように設定されている。緊急ボタン11を３回押すと、緊急ボタン11の色を青色（図14に示すプログラム上では「♯0000FF」）に変更するように設定されている。緊急ボタン11をそれ以上の回数押すと緊急ボタン11の色は初期値の赤色（プログラム上では図示しない「♯FF0000」）に戻るように設定されている。
【００２７】
また、図２に示すブラウザ15は、表示画面10に表示される緊急ボタン11が押されると、制御部７に設けられた計数手段となるカウンタモジュール12により計数された緊急ボタン11を押す回数に応じて、該緊急ボタン11を押した回数を認知させる認知手段として図19（ｃ）に示すように、表示手段となる表示画面10の画面上に表示する緊急ボタン11の面積比率を変更する面積変更手段を有する。
【００２８】
この面積変更手段は、具体的にはブラウザ15に実装されたジャバスクリプト（JavaScript；登録商標）ファイル18のプログラム中に図10に示すプログラムが書き込まれており、表示画面10に表示される緊急ボタン11を押すと、図19（ｃ）に示すように、緊急ボタン11の面積比率を変更する。
【００２９】
本実施形態では、図10に示すプログラムに記載されたように、表示画面10の画面上に表示された緊急ボタン11が押されると、図19（ｃ）に示すように、緊急ボタン11が押される回数に応じて緊急ボタン11の面積比率を高さ及び幅を順次、３倍、２．５倍、２倍、１．５倍（図10に示すプログラム23ａ，23ｂ参照）に変更して表示するように設定されている。そして、緊急ボタン11が押されてから経過する時間を時間計測モジュール８により測定し、０．２秒後に緊急ボタン11を元の大きさに戻す（図10に示すプログラム23ｃ，23ｄ参照）。尚、図10に示すプログラム23ｃ上の「200」は「200（msec）」を示す。
【００３０】
緊急ボタン11を押す回数で、１回目は表示画面10の画面上に表示された緊急ボタン11の面積比率が「大」、２回目は面積比率が「中」、３回目は面積比率が「小」等に適宜設定することで認知手段として緊急ボタン11を押した回数を認知させることが出来る。
【００３１】
また、図２に示すブラウザ15は、表示画面10に表示される緊急ボタン11が押されると、制御部７に設けられた計数手段となるカウンタモジュール12により計数された緊急ボタン11を押す回数に応じて、該緊急ボタン11を押した回数を認知させる認知手段として図19（ｄ）に示すように、表示手段となる表示画面10の画面上に表示する緊急ボタン11の表示位置を振動させる振動表示手段を有する。
【００３２】
この振動表示手段は、具体的にはブラウザ15に実装されたｊＱｕｅｒｙ（ジェイ・クエーリ）、ｊＲｕｍｂｌｅ（ジェイ・ランブル）のプログラム中に図12に示すプログラムが書き込まれており、表示画面10に表示される緊急ボタン11を押すと、図19（ｄ）に示すように、緊急ボタン11の表示位置を振動させる。
【００３３】
本実施形態では、図12に示すプログラムに記載されたように、表示画面10の画面上に表示された緊急ボタン11が押されると、図19（ｄ）に示すように、緊急ボタン11が押される回数に応じて緊急ボタン11の表示位置の横揺れ幅ｘと縦揺れ幅ｙを順次、以下の数２式に従って変更して振動させるように設定されている（図12に示すプログラム24ａ参照）。図12に示すプログラム24ａに示されたように、緊急ボタン11の表示位置の回転幅を１０ピクセル（図12に示すプログラム24ａ上では「rotation:10」）、変化間隔時間を１ミリ秒（図12に示すプログラム24ａ上では「speed:1」）振動させるように設定されている。尚、ピクセル（pixel；画素）とは、コンピュータで画像を扱うときの色情報（色調や階調）を持つ最小単位をいう。実用上は４１ピクセルが約１ｃｍに相当する。
【００３４】
そして、緊急ボタン11が押されてから経過する時間を時間計測モジュール８により測定し、０．２秒後に緊急ボタン11を表示位置に戻す（図12に示すプログラム24ｂ，24ｃ参照）。尚、図12に示すプログラム24ｂ上の「200」は「200（msec）」を示す。
【００３５】
緊急ボタン11を押す回数で、１回目は表示画面10の画面上に表示された緊急ボタン11の振動幅が「大」、２回目は振動幅が「中」、３回目は振動幅が「小」等に適宜設定することで認知手段として緊急ボタン11を押した回数を認知させることが出来る。
【００３６】
また、図２に示す画面変更モジュール14は、制御部７に設けられた計数手段となるカウンタモジュール12により計数されたユーザ端末装置２に設けられた報知ボタンとなるカテゴリ選択ボタン19を押す回数に応じて、図21に示すように、表示画面10に表示された複数の報知情報となるカテゴリ一覧から所定のカテゴリを選択することが出来るように設定されている。尚、図４のステップＳ12において、図示しないが、カテゴリ一覧から選択した所定のカテゴリに関連する報知情報が表示画面10に表示される。尚、図19〜図21に示すユーザ端末装置２の表示画面10に表示されたモード切替ボタン20を押すことによりカテゴリ一覧の表示形式を切り替えることが出来る。
【００３７】
本実施形態では、複数の報知情報となるカテゴリ一覧には、図21に示すように、「行政からのお知らせ」「町内会からのお知らせ」「老人会からのお知らせ」が表示されており。図21（ｂ）に示すように、カテゴリ選択ボタン19を１回押すと、カテゴリ一覧から「行政からのお知らせ」が選択され、図21（ｃ）に示すように、カテゴリ選択ボタン19を２回押すと、カテゴリ一覧から「町内会からのお知らせ」が選択され、図21（ｄ）に示すように、カテゴリ選択ボタン19を３回押すと、カテゴリ一覧から「老人会からのお知らせ」が選択されるように設定されている。カテゴリ選択ボタン19をそれ以上の回数押すと、図21（ａ）に示すように、カテゴリ一覧からカテゴリが未選択の初期表示に戻るように設定されている。
【００３８】
カテゴリ選択ボタン19を押す回数に応じてカテゴリ一覧からカテゴリが順次選択されるため認知手段としてカテゴリ選択ボタン19を押した回数を認知させることが出来る。
【００３９】
また、図２に示す画面変更モジュール14は、制御部７に設けられた計数手段となるカウンタモジュール12により計数された緊急ボタン11を押す回数に応じて、図26に示すように、表示手段となる表示画面10上（画面上）に表示する報知情報４の面積比率を変更することが出来るように設定されている。
【００４０】
具体的には、図３に示すサーバ装置３のウェブ（Web）ページで使用されているプログラミング言語で記述されたジャバスクリプト（JavaScript；登録商標）ファイル18のプログラム中に図５及び図６に示すプログラムが書き込まれており、図26（ａ）に示すように、送信者が使用するユーザ端末装置２ａの表示画面10に表示された緊急ボタン11を押すと、カウンタモジュール12により計数された緊急ボタン11を押す回数に応じて、図26（ａ）〜（ｃ）に示すように、送信者が使用するユーザ端末装置２ａと、図26（ｄ）〜（ｆ）に示すように、受信者が使用するユーザ端末装置２ｂのそれぞれの表示画面10に表示する報知情報４の面積比率を変更する。
【００４１】
本実施形態では、サーバ装置３の記憶手段としての記憶領域に報知情報４として図26（ａ）〜（ｃ）及び図26（ｄ）〜（ｆ）に示すように、報知情報４の面積比率が「大」「中」「小」の緊急メッセージが用意されている。図26（ａ）に示すように、送信者が使用するユーザ端末装置２ａの表示画面10に表示された緊急ボタン11を１回押すと、報知情報４の面積比率が最大となる「緊急度：大」の報知情報４ａが送信者が使用するユーザ端末装置２ａの表示画面10に表示され、サーバ装置３を介して報知情報４ａが受信者が使用するユーザ端末装置２ｂに送信されて図26（ｄ）に示すように、受信者が使用するユーザ端末装置２ｂの表示画面10にも同じ報知情報４ａが表示される。
【００４２】
同様に、図26（ｂ）に示すように、送信者が使用するユーザ端末装置２ａの表示画面10に表示された緊急ボタン11を２回押すと、報知情報４の面積比率が中間となる「緊急度：中」の報知情報４ｂが送信者が使用するユーザ端末装置２ａの表示画面10に表示され、サーバ装置３を介して報知情報４ｂが受信者が使用するユーザ端末装置２ｂに送信されて図26（ｅ）に示すように、受信者が使用するユーザ端末装置２ｂの表示画面10にも同じ報知情報４ｂが表示される。
【００４３】
同様に、図26（ｃ）に示すように、送信者が使用するユーザ端末装置２ａの表示画面10に表示された緊急ボタン11を３回押すと、報知情報４の面積比率が最小となる「緊急度：小」の報知情報４ｃが送信者が使用するユーザ端末装置２ａの表示画面10に表示され、サーバ装置３を介して報知情報４ｃが受信者が使用するユーザ端末装置２ｂに送信されて図26（ｆ）に示すように、受信者が使用するユーザ端末装置２ｂの表示画面10にも同じ報知情報４ｃが表示される。
【００４４】
次に図４〜図14を用いて、図１に示す複数のユーザ端末装置２（２ａ，２ｂ）の間でサーバ装置３を介して報知情報４（４ａ〜４ｃ）を通信可能に設けられた報知システム５をコンピュータを利用して実行するプログラムについて説明する。
【００４５】
図４のステップＳ１において、図26（ａ）に示すように、送信者が使用するユーザ端末装置２ａの表示画面10に表示された緊急ボタン11、或いは、図21に示すカテゴリ選択ボタン19を１回押すと、ステップＳ２において、時間計測モジュール８のタイマをクリアする（図６に示すプログラム21ａ参照）。次にステップＳ３において、カウンタモジュール12はカウントを１増やす（図６に示すプログラム21ｂ参照）。
【００４６】
前記ステップＳ１〜Ｓ３は、ユーザ端末装置２に設けられた緊急ボタン11、或いは、カテゴリ選択ボタン19を押す回数を計数手段となるカウンタモジュール12により計数する計数ステップである。
【００４７】
次にステップＳ４において、図19（ｂ）に示すように、送信者が使用するユーザ端末装置２ａのスピーカ16から音を発生させる鳴動処理（図６に示すプログラム21ｃ参照）をステップＳ４ａ、図19（ｃ）に示すように、送信者が使用するユーザ端末装置２ａの表示画面10に表示された緊急ボタン11の面積変化処理（図６に示すプログラム21ｄ参照）をステップＳ４ｂ、図19（ｄ）に示すように、送信者が使用するユーザ端末装置２ａの表示画面10に表示された緊急ボタン11の振動処理（図６に示すプログラム21ｅ参照）をステップＳ４ｃ、図20（ａ）〜（ｄ）に示すように、送信者が使用するユーザ端末装置２ａの表示画面10に表示された緊急ボタン11の色の変化処理（図６に示すプログラム21ｆ参照）をステップＳ４ｄ、図21（ａ）〜（ｄ）に示すように、送信者が使用するユーザ端末装置２ａの表示画面10に表示されたカテゴリ一覧から所望のカテゴリを選択するカテゴリ選択処理（図17に示すプログラム26ａ参照）をステップＳ４ｅにおいてそれぞれ実行する。
【００４８】
前記ステップＳ４ａは、緊急ボタン11が押されると、カウンタモジュール12により計数された緊急ボタン11を押す回数に応じて図19（ｂ）に示すように、音発生手段となる音発生モジュール13とスピーカ16とにより音を発生する音発生ステップである。
【００４９】
前記ステップＳ４ｂは、緊急ボタン11が押されると、カウンタモジュール12により計数された緊急ボタン11を押す回数に応じて図19（ｃ）に示すように、面積変更手段となるブラウザ15により表示手段となる表示画面10の画面上に表示する緊急ボタン11の面積比率を変更する報知ボタン面積変更ステップである。
【００５０】
前記ステップＳ４ｃは、緊急ボタン11が押されると、カウンタモジュール12により計数された緊急ボタン11を押す回数に応じて図19（ｄ）に示すように、振動表示手段となるブラウザ15により表示手段となる表示画面10の画面上に表示する緊急ボタン11の表示位置を振動させる振動ステップである。
【００５１】
前記ステップＳ４ｄは、前記ステップＳ１〜Ｓ３に示す計数ステップにおいて、計数手段となるカウンタモジュール12により計数されたユーザ端末装置２の表示画面10に表示された緊急ボタン11を押す回数に応じて、図20（ａ）〜（ｄ）に示すように、色変更手段となるブラウザ15により表示手段となる表示画面10に画面表示される緊急ボタン11の色を変更する色変更ステップである。
【００５２】
前記ステップＳ４ｅは、ステップＳ12に示して後述する報知情報変更ステップにおいて、計数手段となるカウンタモジュール12により計数されたユーザ端末装置２の表示画面10に表示されたカテゴリ選択ボタン19を押す回数に応じて、図21（ａ）〜（ｄ）に示すように、変更手段となる画面変更モジュール14により複数の報知情報となるカテゴリ一覧から所定の報知情報としてのカテゴリを選択する報知情報選択ステップである。
【００５３】
前記ステップＳ４（Ｓ４ａ〜Ｓ４ｅ）は、計数ステップとなる前記ステップＳ１〜Ｓ３において計数したユーザ端末装置２に設けられた緊急ボタン11、或いは、カテゴリ選択ボタン19を押す回数に応じて認知手段（面積変更手段、色変更手段、振動表示手段）となるブラウザ15により緊急ボタン11を押した回数を認知させる認知ステップである。
【００５４】
次にステップＳ５において、カウンタモジュール12により計数されるユーザ端末装置２の表示画面10に表示された緊急ボタン11、或いは、カテゴリ選択ボタン19を押す回数のカウント値が、例えば、３回以下か否かを制御部７により判断する（図６に示すプログラム21ｇ参照）。
【００５５】
前記ステップＳ５において、カウンタモジュール12により計数されるユーザ端末装置２の表示画面10に表示された緊急ボタン11、或いは、カテゴリ選択ボタン19を押す回数のカウント値が３回以下であれば、ステップＳ６に進んで、時間計測モジュール８により現在の時間Ｔａを取得する（図６に示すプログラム21ｈ参照）。
【００５６】
次にステップＳ７において、時間計測モジュール８により計測されるユーザ端末装置２の表示画面10に表示された緊急ボタン11、或いは、カテゴリ選択ボタン19を押す時間間隔が０．５秒以上であるか否かを制御部７により判断する（図６に示すプログラム21ｉ参照、図５に示すプログラム21ｊ参照）。尚、図５に示すプログラム21ｊ上の「500」は「500（msec）」を示す。
【００５７】
前記ステップＳ７において、時間計測モジュール８により計測されるユーザ端末装置２の表示画面10に表示された緊急ボタン11、或いは、カテゴリ選択ボタン19を押す時間間隔が０．５秒以上である場合には、ステップＳ８に進んで時間計測モジュール８のタイマをスタートさせる。次にステップＳ９において再度、現在の時間Ｔｂを取得する（図６に示すプログラム21ｋ参照）。
【００５８】
次にステップＳ10において、時間計測モジュール８のタイマが２秒になるまでユーザ端末装置２の表示画面10に表示された緊急ボタン11、或いは、カテゴリ選択ボタン19を押さないか否かを制御部７により判断する（図６に示すプログラム21ｍ、図５に示すプログラム21ｎ参照）。尚、図５に示すプログラム21ｎ上の「2000」は「2000（msec）」を示す。
【００５９】
前記ステップＳ10において、時間計測モジュール８のタイマが２秒になるまでユーザ端末装置２の表示画面10に表示された緊急ボタン11、或いは、カテゴリ選択ボタン19を押さない場合には、緊急ボタン11、或いは、カテゴリ選択ボタン19を押す操作が終了したと判断し、ステップＳ11に進んで時間計測モジュール８のタイマを終了させる。前記ステップＳ10において、時間計測モジュール８のタイマが２秒になる前にユーザ端末装置２の表示画面10に表示された緊急ボタン11、或いは、カテゴリ選択ボタン19が押された場合は、緊急ボタン11、或いは、カテゴリ選択ボタン19を押す操作が継続中であると判断して前記ステップＳ２に戻る。
【００６０】
次にステップＳ12において、カウンタモジュール12により計数されるユーザ端末装置２の表示画面10に表示された緊急ボタン11、或いは、カテゴリ選択ボタン19を押す回数のカウント値に応じてＨＴＴＰリクエストをサーバ装置３に送信する。
【００６１】
前記ステップＳ12は、前記ステップＳ１〜Ｓ３に示す計数ステップにおいて、カウンタモジュール12により計数したユーザ端末装置２の表示画面10に表示された緊急ボタン11を押す回数に応じて、図25（ａ）〜（ｃ）に示すように、変更手段となる画面変更モジュール14により報知情報４を図25（ａ）に示す「緊急度：大」の報知情報４ａ、図25（ｂ）に示す「緊急度：中」の報知情報４ｂ、図25（ｃ）に示す「緊急度：小」の報知情報４ｃに変更する報知情報変更ステップを含み、更に、該報知情報変更ステップにおいて変更された報知情報４をサーバ装置３により目的のユーザ端末装置２に送信する送信ステップを含む。
【００６２】
前記ステップＳ12で示す報知情報変更ステップにおいて、変更手段となる画面変更モジュール14によりユーザ端末装置２に設けられる表示手段となる表示画面10の画面上に表示する報知情報４の面積比率を、図26（ａ）に示すように、報知情報４の面積比率が最大となる「緊急度：大」の報知情報４ａ、図26（ｂ）に示すように、報知情報４の面積比率が中間となる「緊急度：中」の報知情報４ｂ、図26（ｃ）に示すように、報知情報４の面積比率が最小となる「緊急度：小」の報知情報４ｃに変更する報知情報面積変更ステップを有する。
【００６３】
前記ステップＳ５において、カウンタモジュール12により計数されるユーザ端末装置２の表示画面10に表示された緊急ボタン11、或いは、カテゴリ選択ボタン19を押す回数のカウント値が３回を超えた場合、或いは、前記ステップＳ７において、時間計測モジュール８により計測されるユーザ端末装置２の表示画面10に表示された緊急ボタン11、或いは、カテゴリ選択ボタン19を押す時間間隔が０．５秒未満（速押し）の場合は、何れもステップＳ13に進んでカウンタモジュール12により計数されるユーザ端末装置２の表示画面10に表示された緊急ボタン11、或いは、カテゴリ選択ボタン19を押す回数のカウント値を「０」にし（図６に示すプログラム21ｐ参照）、前記ステップＳ９で取得した現在の時間Ｔｂを「０」にして初期状態に修正した後（図６に示すプログラム21ｑ参照）、処理を終了する。
【００６４】
次に図７〜図18を用いて前記ステップＳ４におけるステップＳ４ａ〜Ｓ４ｅについてより詳細に説明する。前記ステップＳ４ａにおいて鳴動処理を実行する場合には、図７に示すステップＳ21において、カウンタモジュール12により計数されるユーザ端末装置２の表示画面10に表示された緊急ボタン11を押す回数のカウント値の数に応じたオーディオ（audio）タグのオブジェクトを作成する（図８に示すプログラム22ａ，22ｄ参照）。例えば、図８に示すプログラム22ａ上に記載された「knock_sound1」、「knock_sound2」等のように、「knock_sound ＋カウント数」をオーディオ（audio）タグ名として設定する。
【００６５】
次にステップＳ22において、音発生モジュール13にオーディオファイルを読み込む（図８に示すプログラム22ｂ参照）。次にステップＳ23において音発生モジュール13のオーディオファイルを再生する（図８に示すプログラム22ｃ参照）。すると、ステップＳ24において、スピーカ16から鳴動する。本実施形態では、ユーザ端末装置２の表示画面10に表示された緊急ボタン11を押す毎にスピーカ16からノック音が鳴動するように設定されている（図８に示すプログラム22ｃ参照）。ノック音が鳴動中に緊急ボタン11を押すとノック音が最初から再生される。
【００６６】
前記ステップＳ４ｂにおいて、ユーザ端末装置２の表示画面10に表示された緊急ボタン11の面積の変化を実行する場合には、図９に示すステップＳ31において、時間計測モジュール８のタイマを初期化する（図10に示すプログラム23ｅ参照）。次にステップＳ32において、ユーザ端末装置２の表示画面10に表示された緊急ボタン11の面積を決めているｃｓｓ（Cascading Style Sheets）のプロパティで緊急ボタン11の高さ及び幅の数値をカウンタモジュール12により計数されるユーザ端末装置２の表示画面10に表示された緊急ボタン11を押す回数のカウント値の数に応じて変更する（図10に示すプログラム23ａ，23ｂ参照）。
【００６７】
例えば、カウンタモジュール12により計数されるユーザ端末装置２の表示画面10に表示された緊急ボタン11を押す回数のカウント数が「１」の場合は、ユーザ端末装置２の表示画面10に表示される緊急ボタン11の高さ及び幅を「３倍」、カウント数が「２」の場合は、緊急ボタン11の高さ及び幅を「２．５倍」、カウント数が「３」の場合は、緊急ボタン11の高さ及び幅を「２倍」、カウント数が「４」の場合は、緊急ボタン11の高さ及び幅を「１．５倍」にそれぞれ設定する。即ち、緊急ボタン11の高さ及び幅は以下の数１式に示すように設定される。
【００６８】
［数１］
「緊急ボタン11の面積の変化」＝「緊急ボタン11の元の幅（又は高さ）｝×（３．５−０．５×カウント数)
【００６９】
次にステップＳ33に進んで時間計測モジュール８のタイマの起動を開始する。次にステップＳ34において、タイマがスタートして０．２秒が経過したか否かを制御部７により判断する。前記ステップＳ34においてタイマがスタートして０．２秒が経過した場合には、ステップＳ35に進んでタイマを終了させる。次にステップＳ36に進んで、緊急ボタン11の面積を決めているｃｓｓ（Cascading Style Sheets）のプロパティで緊急ボタン11の高さ及び幅の数値をそれぞれ元の大きさに戻す（図10に示すプログラム23ｃ，23ｄ，23ｆ参照）。尚、図10に示すプログラム23ｃ上の「200」は「200（msec）」を示す。前記ステップＳ34においてタイマがスタートして０．２秒が経過しないうちに緊急ボタン11が押された場合には、前記ステップＳ31に戻る。
【００７０】
前記ステップＳ４ｃにおいて、ユーザ端末装置２の表示画面10に表示された緊急ボタン11の振動を実行する場合には、図11に示すステップＳ41において、時間計測モジュール８に設けられたタイマを初期化する（図12に示すプログラム24ｄ参照）。次にステップＳ42において、ブラウザ15に実装されたｊＲｕｍｂｌｅ（ジェイ・ランブル）の設定においてユーザ端末装置２の表示画面10に表示された緊急ボタン11の横揺れ幅ｘと、縦揺れ幅ｙとをカウンタモジュール12により計数されるユーザ端末装置２の表示画面10に表示された緊急ボタン11を押す回数のカウント数に応じて設定する（図12に示すプログラム24ａ参照）。
【００７１】
例えば、カウンタモジュール12により計数されるユーザ端末装置２の表示画面10に表示された緊急ボタン11を押す回数のカウント数が「１」の場合は、ユーザ端末装置２の表示画面10に振動表示される緊急ボタン11の横揺れ幅ｘ、縦揺れ幅ｙともに「３１ピクセル」、カウント数が「２」の場合は、横揺れ幅ｘ、縦揺れ幅ｙともに「２２ピクセル」、カウント数が「３」の場合は、横揺れ幅ｘ、縦揺れ幅ｙともに「１３ピクセル」、カウント数が「４」の場合は、横揺れ幅ｘ、縦揺れ幅ｙともに「４ピクセル」にそれぞれ設定する。即ち、緊急ボタン11の振動表示の横揺れ幅ｘ、縦揺れ幅ｙは以下の数２式に示すように設定される。
【００７２】
［数２］
「緊急ボタン11の振動表示の横揺れ幅ｘ」＝（４０−カウント数×９）ピクセル
「緊急ボタン11の振動表示の縦揺れ幅ｙ」＝（４０−カウント数×９）ピクセル
【００７３】
次にステップＳ43において、ブラウザ15に実装されたｊＲｕｍｂｌｅ（ジェイ・ランブル）を起動する（図12に示すプログラム24ｆ参照）。次にステップＳ44において、時間計測モジュール８に設けられたタイマの起動を開始する。次にステップＳ45において、タイマがスタートして０．２秒が経過したか否かを制御部７により判断する。前記ステップＳ45においてタイマがスタートして０．２秒が経過した場合には、ステップＳ46に進んでタイマを終了する。次にステップＳ47に進んでブラウザ15に実装されたｊＲｕｍｂｌｅ（ジェイ・ランブル）を停止する（図12に示すプログラム24ｂ，24ｃ参照）。前記ステップＳ45においてタイマがスタートして０．２秒が経過しないうちに緊急ボタン11が押された場合には、前記ステップＳ41に戻る。
【００７４】
前記ステップＳ４ｄにおいて、ユーザ端末装置２の表示画面10に表示された緊急ボタン11の色の変化を実行する場合には、図13に示すステップＳ51において、カウンタモジュール12により計数されるユーザ端末装置２の表示画面10に表示された色を変化させる緊急ボタン11を押す回数のカウント値の数を制御部７により判断する。
【００７５】
前記ステップＳ51において、カウンタモジュール12により計数されるユーザ端末装置２の表示画面10に表示された緊急ボタン11を押す回数のカウント値の数が「１」回の場合は、ステップＳ52に進んで緊急ボタン11の色を黄色に指定する。
【００７６】
前記ステップＳ51において、カウンタモジュール12により計数されるユーザ端末装置２の表示画面10に表示された緊急ボタン11を押す回数のカウント値の数が「２」回の場合は、ステップＳ53に進んで緊急ボタン11の色を緑色に指定する。
【００７７】
前記ステップＳ51において、カウンタモジュール12により計数されるユーザ端末装置２の表示画面10に表示された緊急ボタン11を押す回数のカウント値の数が「３」回の場合は、ステップＳ53に進んで緊急ボタン11の色を青色に指定する。
【００７８】
前記ステップＳ51において、カウンタモジュール12により計数されるユーザ端末装置２の表示画面10に表示された緊急ボタン11を押す回数のカウント値の数が「１〜３」回以外の他の回数の場合は、ステップＳ55に進んで緊急ボタン11の色を元の赤色に指定する。
【００７９】
次にステップＳ56に進んで緊急ボタン11の色を決めているｃｓｓ（Cascading Style Sheets）のプロパティで緊急ボタン11の色（緊急ボタン11の領域内の背景色及び緊急ボタン11の輪郭を表わす枠色）を前記ステップＳ52〜Ｓ55において指定した色に変更する（図14に示すプログラム25ａ〜25ｃ参照）。
【００８０】
前記ステップＳ４ｅにおいて、図21に示すように、ユーザ端末装置２の表示画面10に表示されたカテゴリ一覧（図16に示すプログラム26ａ参照）から所望のカテゴリ選択を実行する場合には、図15に示すステップＳ61において、制御部７は選択要素の数を取得する（図18に示すプログラム26ｃ参照）。
【００８１】
次にステップＳ62において、制御部７はカウンタモジュール12により計数されるユーザ端末装置２の表示画面10に表示されたカテゴリ選択ボタン19を押す回数のカウント値の数が「１」回か否かを判断する。カウント値の数が「１」回の場合（図18に示すプログラム26ｄ参照）には、ステップＳ63に進んで、初期状態を保存した後、ステップＳ64に進んで図21（ｂ）に示すように１番目の選択要素である「行政からのお知らせ」のカテゴリを選択して背景色を青色から白色に変更して処理を終了する。
【００８２】
前記ステップＳ62において、カウンタモジュール12により計数されるユーザ端末装置２の表示画面10に表示されたカテゴリ選択ボタン19を押す回数のカウント値の数が「１」回以外の場合にはステップＳ65に進んで、制御部７はカウンタモジュール12により計数されるユーザ端末装置２の表示画面10に表示されたカテゴリ選択ボタン19を押す回数のカウント値の数が「１」よりも大きく、且つ、表示画面10上に現在表示されているカテゴリの表示要素数（図21に示す本実施形態では表示要素数は「行政からのお知らせ」「町内会からのお知らせ」「老人会からのお知らせ」の３つのカテゴリ）以下で、且つ表示画面10上で見られないカテゴリも含めた選択要素数以下であるか否かを判断する。
【００８３】
カウント値の数が「１」よりも大きく、表示要素数以下で、且つ選択要素数以下の場合には（図18に示すプログラム26ｅ参照）、表示画面10上で全ての表示要素（選択要素）が一覧できると判断し、ステップＳ66に進んで、（カウント数−１）番目の表示要素（選択要素）のカテゴリを選択して背景色を透明にして白色から青色に変更する。例えば、カウント値の数が「２」であれば、１番目（２−１＝１）の表示要素（選択要素）である「行政からのお知らせ」のカテゴリを選択して背景色を透明にして白色から青色に変更する。
【００８４】
次にステップＳ67に進んで、カウント数目の選択要素の背景色を青色から白色に変更する。例えば、カウント値の数が「２」であれば、図21（ｃ）に示すように、１番目（２−１＝１）の表示要素（選択要素）である「行政からのお知らせ」のカテゴリを選択して背景色を透明にして白色から青色に変更すると共に、２番目の選択要素である「町内会からのお知らせ」のカテゴリを選択しての背景色を青色から白色に変更して処理を終了する。
【００８５】
前記ステップＳ65において、カウント数が１よりも大きく、且つ、表示要素数以下で、且つ、選択要素数以下でない場合には、ステップＳ68に進んで、制御部７はカウンタモジュール12により計数されるユーザ端末装置２の表示画面10に表示されたカテゴリ選択ボタン19を押す回数のカウント値の数が表示要素数以上で、且つ、選択要素数が表示要素数よりも大きいか否かを判断する。
【００８６】
そして、カウント値の数が表示要素数以上で、且つ、選択要素数が表示要素数よりも大きい場合には（図18に示すプログラム26ｆ参照）、制御部７はユーザが選択したい目的のカテゴリが現在の表示画面10上で見られないカテゴリであると判断して、ステップＳ69に進んで１番目の選択要素を削除する。例えば、図21に示す現在の表示画面10上に１番目に表示された選択要素である「行政からのお知らせ」のカテゴリを選択して削除する。これにより表示画面10上のカテゴリ一覧がスクロールする。
【００８７】
次にステップＳ70に進んで、表示画面10上のカテゴリ一覧のカテゴリの表示数（図21に示す本実施形態では選択要素数は「行政からのお知らせ」「町内会からのお知らせ」「老人会からのお知らせ」の３つのカテゴリ）−１番目の選択要素（図21に示す本実施形態では２番目の選択要素）のカテゴリを選択して背景色を透明にして白色から青色に変更する。即ち、図21（ｄ）に示す表示画面10上のカテゴリ一覧の３番目のカテゴリである「老人会からのお知らせ」よりも下にあるカテゴリをスクロールさせて表示画面10上に表示させるために図21（ｄ）に示す現在の表示画面10上のカテゴリ一覧の１番目に表示された選択要素である「行政からのお知らせ」のカテゴリを選択して削除する。すると、表示画面10上のカテゴリ一覧の３番目のカテゴリであった「老人会からのお知らせ」の背景色が白色のまま２番目に移動する。このため図21（ｄ）に示す表示画面10上の表示数である「３」−１番目（＝２番目）のカテゴリである「老人会からのお知らせ」の背景色を透明にして白色から青色に変更する。
【００８８】
次に、ステップＳ71に進んで、表示数番目の選択要素（図21に示す本実施形態では３番目の選択要素）の図示しない新たなカテゴリを選択して背景色を青色から白色に変更して処理を終了する。
【００８９】
次に図22〜図26を用いて前記図４のステップＳ12において、緊急ボタン11が押される回数に応じて変更手段となる画面変更モジュール14により図26に示すユーザ端末装置２ａ，２ｂの表示画面10に表示される報知情報４（４ａ〜４ｃ）の面積比率の変更を実行するプログラムによる処理について説明する。
【００９０】
図22のステップＳ71において、サーバ装置３は予め登録された受信者側のユーザ端末装置２ｂとの間で常時、緊急メッセージが必要か否かの問い合わせを行っている（図23に示すプログラム27ａ参照）。
【００９１】
次にステップＳ72において、受信者側のユーザ端末装置２ｂに設けられた制御部７は、サーバ装置３から送られてきたデータを送信者名と、送信者側のユーザ端末装置２に設けられるカウンタモジュール12により計数される該ユーザ端末装置２の表示画面10に表示された緊急ボタン11を押す回数のカウント値の数とを関連付けて仕分けする（図23に示すプログラム27ｂ参照）。
【００９２】
次にステップＳ73において、受信者側の制御部７は送信者側が緊急ボタン11を押した回数のカウント値の数が「１」か否かを判断し、カウント値の数が「１」の場合は、ステップＳ74に進んで、図26の各ユーザ端末装置２の表示画面10に表示される緊急メッセージ作成のための文章構造の枠組を決定するために前後に改行が入るブロックレベル要素（ＨＴＭＬのｄｉｖ要素；HTML Document Division Elementやbutton要素；HTML Button Element）を生成する（図23及び図24に示すプログラム27ｃ，27ｄ参照）。
【００９３】
次にステップＳ75において、作成した要素に関連付けられたＩＤを設定する（図24に示すプログラム27ｅ参照）。次にステップＳ76において、緊急メッセージのフォントサイズや色を設定する（図24に示すプログラム27ｆ参照）。
【００９４】
次にステップＳ77において、図26（ａ）及び図26（ｄ）に示す「緊急度；大」の緊急メッセージ内容を生成する（図24に示すプログラム27ｇ参照）。次にステップＳ78において、緊急メッセージをページに反映した後、処理を終了する。
【００９５】
前記ステップＳ73において、カウント値の数が「１」でない場合には、ステップＳ79に進んで、受信者側の制御部７は送信者側が緊急ボタン11を押した回数のカウント値の数が「２」か否かを判断し、カウント値の数が「２」の場合は、ステップＳ80に進んで、図26の各ユーザ端末装置２の表示画面10に表示される緊急メッセージ作成のためのブロックレベル要素を生成する（図23に示すプログラム27ｈ、図25に示すプログラム27ｉ参照）。
【００９６】
次にステップＳ81において、作成した要素に関連付けられたＩＤを設定する（図25に示すプログラム27ｊ参照）。次にステップＳ82において、緊急メッセージのフォントサイズや色を設定する（図25に示すプログラム27ｋ参照）。
【００９７】
次にステップＳ83において、図26（ｂ）及び図26（ｅ）に示す「緊急度；中」の緊急メッセージ内容を生成する（図25に示すプログラム27ｍ参照）。次にステップＳ84において、緊急メッセージをページに反映した後、処理を終了する。
【００９８】
前記ステップＳ79において、カウント値の数が「２」でない場合には、ステップＳ85に進んで、受信者側の制御部７は送信者側が緊急ボタン11を押した回数のカウント値の数が「３」か否かを判断し、カウント値の数が「３」の場合は、ステップＳ86に進んで、図26の各ユーザ端末装置２の表示画面10に表示される緊急メッセージ作成のためのブロックレベル要素を生成する（図23に示すプログラム27ｎ、図25に示すプログラム27ｐ参照）。
【００９９】
次にステップＳ87において、作成した要素に関連付けられたＩＤを設定する（図25に示すプログラム27ｑ参照）。次にステップＳ88において、緊急メッセージのフォントサイズや色を設定する（図25に示すプログラム27ｒ参照）。
【０１００】
次にステップＳ89において、図26（ｃ）及び図26（ｆ）に示す「緊急度；小」の緊急メッセージ内容を生成する（図25に示すプログラム27ｕ参照）。次にステップＳ90において、緊急メッセージをページに反映した後、処理を終了する。
【０１０１】
上記報知システム５及びこれを実行するプログラムによれば、送信側のユーザ端末装置２の緊急ボタン11、或いは、カテゴリ選択ボタン19を押す回数を計数するカウンタモジュール12により計数された回数に応じて、ブラウザ15に実装されるプログラムにより実行される各種の認知手段により送信側のユーザ１に緊急ボタン11、或いは、カテゴリ選択ボタン19を押した回数を認知させることが出来、ユーザ１は緊急ボタン11、或いは、カテゴリ選択ボタン19を押した回数を誤認知することがない。
【０１０２】
また、サーバ装置３は画面変更モジュール14により変更された報知情報４を目的の受信側のユーザ端末装置２に送信することが出来る。これにより、ユーザ端末装置２にＲＦＩＤ等の別途格別な装置を設置する必要が無く、複数のユーザ端末装置２の間でサーバ装置３を介して緊急ボタン11、或いは、カテゴリ選択ボタン19を押した回数に対応した各種の報知情報４を正確に通信することが出来る。
【０１０３】
尚、図４のステップＳ５，Ｓ７，Ｓ10に示す具体的な回数（３回）、時間（０．５秒、２秒）、図９、図11のステップＳ34，Ｓ45に示す具体的な時間（０．２秒）、図13のステップＳ51〜Ｓ55に示す具体的な回数（１回、２回、３回）、色（黄色、緑色、青色、赤色）は一実施例として採用したものであり、他の回数、時間、倍数、色を適宜採用することが出来る。
【産業上の利用可能性】
【０１０４】
本発明の活用例として、テレビ、インターフォン、パーソナルコンピュータ、携帯電話機、スマートフォン、ＰＤＡ（Personal Digital Assistants）等の据置型或いは携帯型の複数のユーザ端末装置の間でサーバ装置を介して各種の報知情報を通信可能に設けられた報知システム及びこれに用いられるプログラムに適用出来る。
【符号の説明】
【０１０５】
Ｔａ，Ｔｂ  …現在の時間
ｘ    …横揺れ幅
ｙ    …縦揺れ幅
１，１ａ，１ｂ …ユーザ
２，２ａ，２ｂ …ユーザ端末装置
３    …サーバ装置
４    …報知情報
４ａ  …報知情報(緊急度：大)
４ｂ  …報知情報(緊急度：中)
４ｃ  …報知情報(緊急度：小)
５    …報知システム
６    …ネットワーク
７    …制御部
８    …時間計測モジュール
９    …入力部
10    …表示画面（表示手段）
11    …緊急ボタン（報知ボタン）
12    …カウンタモジュール（計数手段）
13    …音発生モジュール（音発生手段;認知手段）
14    …画面変更モジュール（変更手段）
15    …ブラウザ(認知手段;面積変更手段;色変更手段;振動表示手段)
16    …スピーカ(音発生手段)
17    …ジャバスクリプト
18    …ジャバスクリプトファイル
19    …カテゴリ選択ボタン（報知ボタン）
20    …モード切替ボタン
21ａ〜21ｋ，21ｍ，21ｎ，21ｐ，21ｑ  …プログラム
22ａ〜22ｄ  …プログラム
23ａ〜23ｆ  …プログラム
24ａ〜24ｄ，24ｆ  …プログラム
25ａ〜25ｃ  …プログラム
26ａ，26ｃ〜26ｆ  …プログラム
27ａ〜27ｋ，27ｍ，27ｎ，27ｐ〜27ｒ，27ｕ  …プログラム
【図１】
2015053545.tif 000003
【図２】
2015053545.tif 000004
【図３】
2015053545.tif 000005
【図４】
2015053545.tif 000006
【図５】
2015053545.tif 000007
【図６】
2015053545.tif 000008
【図７】
2015053545.tif 000009
【図８】
2015053545.tif 000010
【図９】
2015053545.tif 000011
【図１０】
2015053545.tif 000012
【図１１】
2015053545.tif 000013
【図１２】
2015053545.tif 000014
【図１３】
2015053545.tif 000015
【図１４】
2015053545.tif 000016
【図１５】
2015053545.tif 000017
【図１６】
2015053545.tif 000018
【図１７】
2015053545.tif 000019
【図１８】
2015053545.tif 000020
【図２２】
2015053545.tif 000021
【図２３】
2015053545.tif 000022
【図２４】
2015053545.tif 000023
【図２５】
2015053545.tif 000024
【図１９】
2015053545.tif 000025
【図２０】
2015053545.tif 000026
【図２１】
2015053545.tif 000027
【図２６】
2015053545.tif 000028